(57)【要約】      （修正有）【課題】調節可能なガイドレールの溝幅がスクリュー部材の規格に基づき、任意に調整することができ、ガイドレールを取り替える必要がなく、簡単便利で、設備の汎用性を向上し、且つ作業過程におけるジャミング現象を有効に低下させることにより、作業効率を向上させた吸着式計数型スクリュー整列装置を提供する。【解決手段】ベース１、ディスチャージ式ローラ装置２、調整式レール装置３、フラットフィードスライドレール装置４、及び制御装置を備えた吸着式計数型スクリュー整列装置であって、ディスチャージ式ローラ装置２はベース１に取付けられ、且つディスチャージ装置、フィード装置、フィード板、及び駆動モーターを含み、ディスチャージ装置はフィード装置に連結され、フィード板はフィード装置の内部に設置され、フィード装置はフィード伝動装置を通じて駆動モーターに連結されている。【選択図】図１
0003199714.tif 000002
【実用新案登録請求の範囲】
【請求項１】
ベース、ディスチャージ式ローラ装置、調整式レール装置、フラットフィードスライドレール装置、及び制御装置を備えた吸着式計数型スクリュー整列装置であって、
前記ディスチャージ式ローラ装置はベースに取付けられ、前記ディスチャージ式ローラ装置はディスチャージ装置、フィード装置、フィード板、及び駆動モーターを含み、前記ディスチャージ装置は前記フィード装置に連結され、前記フィード板は前記フィード装置の内部に設置され、前記フィード装置はフィード伝動装置を通じて前記駆動モーターに連結され、
前記調整式レール装置はベースに取付けられ、前記調整式レール装置の取付けは可調整ガイドレールと振動モーターとを含み、前記可調整ガイドレールは前記ディスチャージ装置の上方に設置され、前記可調整ガイドレールのフィード端は前記フィード板に連結され、前記可調整ガイドレールは二つのガイド板、レール固定座、及びレール調整部材を含み、前記二つのガイド板は前記レール固定座と前記レール調整部材との間に取り付けられ、前記可調整ガイドレールは前記振動モーターに取り付けられ、前記二つのガイド板の間の両端にはいずれも複数のスペーサを設けることにより溝が形成され、
前記フラットフィードスライドレール装置はベースに取付けられ、前記フラットフィードスライドレール装置はネイル送り装置、線形スライド装置、フラットフィードモーター、及びフラットフィード歯列を含み、前記ネイル送り装置は移動フラットフィード装置板と固定フラットフィード装置板とからなり、前記移動フラットフィード装置板の一方側は前記固定フラットフィード装置板の一方側に接着され、且つ前記移動フラットフィード装置板の一方側にはネイル送り用の切欠きが設けられ、前記切欠きは前記可調整ガイドレールのディスチャージ口に連結され、前記固定フラットフィード装置板はフラットフィード装置板を介してフラットフィード固定底座に連結され、前記フラットフィード歯列は前記線形スライド装置に固定的に連結され、前記移動フラットフィード装置板は前記線形スライド装置に固定的に連結され、前記フラットフィードモーターはフラットフィードモーター固定板を介して前記フラットフィード固定底座に固定的に取り付けられ、前記フラットフィード歯列は前記フラットフィードモーターの回転軸に設置されたギアーに噛合い、
前記制御装置はベースに取付けられ、前記制御装置は制御チップと計数表示装置とを含み、前記制御チップはそれぞれ前記計数表示装置、前記駆動モーター、前記フラットフィードモーター、及び前記振動モーターに連結されることにより、前記駆動モーター、前記フラットフィードモーター、及び前記振動モーターの回転の制御に用いられる、
ことを特徴とする吸着式計数型スクリュー整列装置。
【請求項２】
前記フィード装置はフィードローラーと複数の掻き板を備えた仕切り板とにより構成され、前記複数の仕切り板は前記フィードローラーの内周面に均一に設置されている、
ことを特徴とする請求項１に記載の吸着式計数型スクリュー整列装置。
【請求項３】
前記フィードローラーの外周面には外部ギアーが設けられ、前記外部ギアーは前記フィード伝動装置に設置されたギアーに噛合う、
ことを特徴とする請求項１に記載の吸着式計数型スクリュー整列装置。
【請求項４】
前記ディスチャージ式ローラ装置は更にブラシ群を含み、前記ブラシ群はカムを介して前記駆動モーターに連結され、且つ、前記ブラシ群は前記ディスチャージ装置の上方に設置されている、
ことを特徴とする請求項１に記載の吸着式計数型スクリュー整列装置。
【請求項５】
前記可調整ガイドレールのフィード端には傾斜ガイド部が設けられ、前記可調整ガイドレールのフィード端の上部にはフラットフィード板が設けられている、
ことを特徴とする請求項１に記載の吸着式計数型スクリュー整列装置。
【請求項６】
前記レール固定座には少なくとも一つの前記溝幅を調整可能な調整孔が設けられている、
ことを特徴とする請求項１に記載の吸着式計数型スクリュー整列装置。
【請求項７】
前記線形スライド装置は直線スライドとフラットフィードスライド板固定座とからなり、前記直線スライドは前記フラットフィード固定底座に取付けられ、前記フラットフィードスライド板固定座は前記直線スライドに取付けられ、前記移動フラットフィード装置板は他方のフラットフィード装置板を介して前記フラットフィードスライド板固定座に連結され、前記フラットフィード歯列は前記フラットフィードスライド板固定座に固定的に連結されている、
ことを特徴とする請求項１に記載の吸着式計数型スクリュー整列装置。
【請求項８】
前記フラットフィード固定底座にはスライドレール固定装置が設けられ、前記スライドレール固定装置は二つのスライドレール固定板により構成され、前記二つのスライドレール固定板はそれぞれ前記直線スライドの両端に設置されている、
ことを特徴とする請求項７に記載の吸着式計数型スクリュー整列装置。
【請求項９】
前記フラットフィードスライドレール装置には、更にセンサーの送受信装置が設けられ、前記センサーの送受信装置は前記ネイル送り装置と接触し、且つ前記制御チップに連結され、前記センサーの送受信装置はセンサー送信固定板とセンサー受信固定板とにより構成され、輸送されるスクリュー部材に対するカウントに用いられる、
ことを特徴とする請求項１に記載の吸着式計数型スクリュー整列装置。
【請求項１０】
前記駆動モーター、前記フラットフィードモーター、及び前記振動モーターはいずれもブラシレスモーターである、
ことを特徴とする請求項１に記載の吸着式計数型スクリュー整列装置。
【考案の詳細な説明】
【技術分野】
【０００１】
本考案はスクリュー整列装置、特に吸着式計数型スクリュー整列装置に関する。
【背景技術】
【０００２】
目下、市場で使用されるスクリュー整列装置は単一規格のスクリュー部材のみに適し、異なる規格のスクリュー部材に合わせて当該スクリュー整列装置のガイド規格を調整することができない。もし、他の規格のスクリュー部材を供給する必要があれば、スクリュー整列装置を丸ごと交換しなければならない。このほか、フラットフィード装置の部分には使用時に間隔ができ、公差が大きいため、フラットフィードの不安定さをもたらし、且つ規格が１：１のスクリューの整列フィードを解決することができない。しかも、従来のスクリュー整列装置のレールはいずれも傾斜して設置され、自重によってスクリュー部材を移動させるため、ガイドレールにあるスクリュー部材が挟まれ詰まりやすい。
【考案の概要】
【考案が解決しようとする課題】
【０００３】
本考案の目的は、各種規格のスクリュー輸送に適し、安定性が比較的高い吸着式計数型スクリュー整列装置を提供することにある。
【課題を解決するための手段】
【０００４】
上述した目的を解決するために、本考案は下記の技術方案を採用している。
【０００５】
ベース、ディスチャージ式ローラ装置、調整式レール装置、フラットフィードスライドレール装置、及び制御装置を備えた吸着式計数型スクリュー整列装置であって、
前記ディスチャージ式ローラ装置はベースに取付けられ、前記ディスチャージ式ローラ装置はディスチャージ装置、フィード装置、フィード板、及び駆動モーターを含み、前記ディスチャージ装置は前記フィード装置に連結され、前記フィード板は前記フィード装置の内部に設置され、前記フィード装置はフィード伝動装置を通じて前記駆動モーターに連結され、
前記調整式レール装置はベースに取付けられ、前記調整式レール装置の取付けは可調整ガイドレールと振動モーターとを含み、前記可調整ガイドレールは前記ディスチャージ装置の上方に設置され、前記可調整ガイドレールのフィード端は前記フィード板に連結され、前記可調整ガイドレールは二つのガイド板、レール固定座、及びレール調整部材を含み、前記二つのガイド板は前記レール固定座と前記レール調整部材との間に取り付けられ、前記可調整ガイドレールは前記振動モーターに取り付けられ、前記二つのガイド板の間の両端にはいずれも複数のスペーサを設けることにより溝が形成され、
前記フラットフィードスライドレール装置はベースに取付けられ、前記フラットフィードスライドレール装置はネイル送り装置、線形スライド装置、フラットフィードモーター、及びフラットフィード歯列を含み、前記ネイル送り装置は移動フラットフィード装置板と固定フラットフィード装置板とからなり、前記移動フラットフィード装置板の一方側は前記固定フラットフィード装置板の一方側に接着され且つ前記移動フラットフィード装置板の一方側にはネイル送り用の切欠きが設けられ、前記切欠きは前記可調整ガイドレールのディスチャージ口に連結され、前記固定フラットフィード装置板はフラットフィード装置板を介して前記フラットフィード固定底座に連結され、前記フラットフィード歯列は前記線形スライド装置に固定的に連結され、前記移動フラットフィード装置板は前記線形スライド装置に固定的に連結され、前記フラットフィードモーターはフラットフィードモーター固定板を介して前記フラットフィード固定底座に固定的に取り付けられ、前記フラットフィード歯列は前記フラットフィードモーターの回転軸に設置されたギアーに噛合い、
前記制御装置はベースに取付けられ、前記制御装置は制御チップと計数表示装置とを含み、前記制御チップはそれぞれ前記計数表示装置、前記駆動モーター、前記フラットフィードモーター、及び前記振動モーターに連結されることにより、前記駆動モーター、前記フラットフィードモーター、及び前記振動モーターの回転の制御に用いられる。
【０００６】
好ましくは、前記フィード装置はフィードローラーと複数の掻き板を備えた仕切り板とにより構成され、前記複数の仕切り板は前記フィードローラーの内周面に均一に設置されている。
【０００７】
好ましくは、前記フィードローラーの外周面には外部ギアーが設けられ、前記外部ギアーは前記フィード伝動装置に設置されたギアーに噛合う。
【０００８】
好ましくは、前記ディスチャージ式ローラ装置は更にブラシ群を含み、前記ブラシ群はカムを介して前記駆動モーターに連結され、前記ブラシ群は前記ディスチャージ装置の上方に設置されている。
【０００９】
好ましくは、前記可調整ガイドレールのフィード端には傾斜ガイド部が設けられ、可調整ガイドレールのフィード端上部にはフラットフィード板が設けられている。
【００１０】
好ましくは、前記レール固定座には少なくとも一つの前記溝幅を調整可能な調整孔が設けられている。
【００１１】
好ましくは、前記線形スライド装置は直線スライドとフラットフィードスライド板固定座とからなり、前記直線スライドは前記フラットフィード固定底座に取付けられ、前記フラットフィードスライド板固定座は前記直線スライドに取付けられ、前記移動フラットフィード装置板は他方のフラットフィード装置板を介して前記フラットフィードスライド板固定座に連結され、前記フラットフィード歯列は前記フラットフィードスライド板固定座に固定的に連結されている。
【００１２】
好ましくは、前記フラットフィード固定底座にはスライドレール固定装置が設けられ、前記スライドレール固定装置は二つのスライドレール固定板により構成され、前記二つのスライドレール固定板はそれぞれ前記直線スライドの両端に設置されている。
【００１３】
好ましくは、前記フラットフィードスライドレール装置には、更にセンサーの送受信装置が設けられ、前記センサーの送受信装置は前記ネイル送り装置と接触し、且つ前記制御チップに連結され、前記センサーの送受信装置はセンサー送信固定板とセンサー受信固定板とにより構成され、輸送されるスクリュー部材に対するカウントに用いられる。
【００１４】
好ましくは、前記駆動モーター、前記フラットフィードモーター、及び前記振動モーターはいずれもブラシレスモーターである。
【００１５】
スクリュー部材の輸送過程：駆動モーターをオンにし、スクリュー部材をディスチャージ式ローラ装置に注ぎ、スクリュー部材は回転するフィードローラーを通じてフラットフィード板に入った後、傾斜ガイド部によりスクリュー部材が順次可調整ガイドレールに送られ、且つ振動モーターをオンにすることにより、スクリュー部材が可調整ガイドレールに沿って前進し、フラットフィードスライドレール装置におけるネイル送り用の切欠きに入るようにし、それに、フラットフィードモーターの駆動により、スクリュー部材が指定位置に到達し、機械アームの使用に備える。
【００１６】
ブラシ群は可調整ガイドレールに嵌め込まれたスクリュー部材をディスチャージ装置に掃きいれ、当該ブラシ群は駆動モーターにより駆動され、カムの設置によりブラシ群を往復運動させることができる。
【００１７】
制御チップは駆動モーターの制御に用いられると同時に、センサーの送信固定板及びセンサーの受信固定板と共に、送られるネイルのカウントに用いられ、且つ機械アームに連結され、プロセス全体に対しモニターを行う。
【考案の効果】
【００１８】
従来技術に対する、本考案の有益な効果：
1、本考案における可調整ガイドレールの溝幅はスクリュー部材の規格に基づき任意に調整することができ、特に規格が１：１のスクリュー部材に対し、ガイドレールを取り替える必要がなく、簡単便利で、装置の汎用性を向上させし、且つ作業過程におけるジャミング現象を有効に低下させることにより、作業効率を向上させた。
【００１９】
2、フラットフィードスライドレール装置は線形方式を採用することでより安定的で、機械アームの使用及びスクリュー部材のカウントに有利である。
【００２０】
3、採用されたブラシレスモーターは故障率が低く、寿命が長いため、コストを有効に節約し、効率を向上させた。
【図面の簡単な説明】
【００２１】
【図１】本考案の好ましい実施例における吸着式計数型スクリュー整列装置の構造概略図である。
【図２】図1の実施例におけるディスチャージ式ローラ装置の構造概略図である。
【図３】図1の実施例におけるフィードローラーの断面図である。
【図４】図1の実施例における調整式レール装置の構造概略図である。
【図５】図1の実施例における可調整ガイドレールの立体分解図である。
【図６】図1の実施例におけるフラットフィードスライドレール装置の構造外略図である。
【図７】図1の実施例における移動フラットフィード装置板の構造概略図である。
【考案を実施するための形態】
【００２２】
図1−図7を参照されたい。当該吸着式計数型スクリュー整列装置はベース1、ディスチャージ式ローラ装置2、調整式レール装置3、フラットフィードスライドレール装置4、制御チップ5、及び計数表示装置6を備えている。
【００２３】
ディスチャージ装置21はフィード装置22に連結され、フィード板23はフィード装置22の内部に設置され、フィード装置22はフィード伝動装置26を通じて駆動モーター24に連結され、ブラシ群25はブラシ伝動装置27を介して駆動モーター24に連結され、六つの仕切り板222はフィードローラー221の内周面に均一に設置され、且つ仕切り板222にはいずれも掻き板223が設けられ、フィードローラー221の外周面には外部ギアーが設けられ、当該外部ギアーはフィード伝動装置26に設置されたギアー261に噛み合い、ブラシ伝動装置27はカム271を通じて駆動モーター24に連結されている。
【００２４】
ガイド板311及びガイド板312はレール固定座315とレール調整部材316の間に取付けられ、レール固定座315は振動モーター321に取り付けられ、ガイド板311とガイド板312の間の両端にはいずれも複数のスペーサ33を設けることにより溝が形成され、可調整ガイドレール31のフィード端には傾斜ガイド部313が設けられ、可調整ガイドレール31のディスチャージ端の上部にはフラットフィード板314が設けられ、フラットフィード板314はフラットフィード板固定部材317によりガイド板311に固定されるが、そのうち、レール固定座315には前記溝幅を調整可能な二つの調整孔が設けられ、当該調整孔はレール調整部材316の底部に設置されたネジ孔にマッチングし、且つ可調整ガイドレールのフィード端はフィード板23に連結され、ブラシ群25は可調整ガイドレール31の上方に設置されている。
【００２５】
フラットフィードモーター411はフラットフィードモーター固定板412を介してフラットフィード固定底座41に固定的に取付けられ、直線スライド45はフラットフィード固定底座41に固定的に取付けられ、フラットフィードスライド板固定座49は直線スライド45に取付けられ、移動フラットフィード装置板48はフラットフィード装置板46を介してフラットフィードスライド板固定座49に連結され、固定フラットフィード装置板44はフラットフィード装置板42を介してフラットフィード固定底座41に連結され、移動フラットフィード装置板48の一方側は固定フラットフィード装置板44の一方側に接着し、且つ移動フラットフィード装置板48の一方側には切欠き481が設けられ、フラットフィード歯列410はフラットフィードスライドレール板固定座に固定的に取り付けられ、フラットフィード歯列410はフラットフィードモーター411の回転軸に設置されたギアーに噛み合い、スライドレール固定板47とスライドレール固定板43はそれぞれ直線スライド45の両端に設置され、センサー送信固定板414及びセンサー受信固定板415はそれぞれフラットフィード固定底座41の両側に設置され、移動フラットフィード装置板48には調整ネジ孔が設けられ、固定フラットフィード装置板44には調整ネジ孔が設けられている。
【００２６】
制御チップ5はそれぞれ計数表示装置6、駆動モーター24、フラットフィードモーター411、及び振動モーター321に連結され、駆動モーター24、フラットフィードモーター411、及び振動モーター321の回転の制御に用いられる。
【００２７】
以上は本考案の具体的な応用例のみで、本考案の保護範囲には如何なる制限を構成しない。同等変換を採用して形成された技術案はいずれも本考案の保護範囲内に属する。
【符号の説明】
【００２８】
1  ベース
2  ディスチャージ式ローラ装置
21  ディスチャージ装置
22  フィード装置
221  フィードローラー
222  仕切り板
223  掻き板  
23  フィード板
24  駆動モーター
25  ブラシ群
26  フィード伝動装置
261  ギアー
27  ブラシ伝動装置
271  カム
3  調整式レール装置
31  可調整ガイドレール
311  ガイド板
312  ガイド板
313  傾斜ガイド部
314  フラットフィード板
315  レール固定座
316  レール調整部材
317  フラットフィード板固定部材
321  振動モーター
33  スペーサ
4  フラットフィードスライドレール装置
41  フラットフィード固定底座
410  フラットフィード歯列
411  フラットフィードモーター
412  フラットフィードモーター固定板
414  センサー送信固定板
415  センサー受信固定板
42  フラットフィード装置板
43  スライドレール固定板
44  固定フラットフィード装置板
45  直線スライド
46  フラットフィード装置板
47  スライドレール固定板
48  移動フラットフィード装置板
481  切欠き
49  フラットフィードスライド板固定座
5  制御チップ
6  計数表示装置
【図１】
0003199714.tif 000003
【図２】
0003199714.tif 000004
【図３】
0003199714.tif 000005
【図４】
0003199714.tif 000006
【図５】
0003199714.tif 000007
【図６】
0003199714.tif 000008
【図７】
0003199714.tif 000009